(57)【特許請求の範囲】
【請求項１】
表示部材と、この表示部材と接続する配線部材と、前記表示部材と前記配線部材の一部を収納する空洞部を有する枠体と、この枠体に形成された開口部を塞ぐと共に前記配線部材を外部に導出する弾性部材とを有し、前記弾性部材に前記空洞部内の圧力の変動を吸収する吸収部を設けたことを特徴とする表示装置。
【請求項２】
表示部材と、この表示部材を収納する空洞部を有する枠体と、この枠体に前記表示部材を固定すると共に外部に露出する取付手段と、この取付手段を覆い隠す弾性部材とを備え、前記弾性部材に前記空洞部内の圧力の変動を吸収する吸収部を設けたことを特徴とする表示装置。
【発明の詳細な説明】
【０００１】
【発明の属する技術分野】
本発明は、例えば車両や船舶や飛行体等の乗り物のメータ等に用いられる密閉された表示装置に関する。
【０００２】
【従来の技術】
従来、この種の表示装置は例えば水上で使用する乗り物等に用いられるメータに搭載されている。このようなメータにあっては、メータ自体が屋外あるいは水中の環境下に置かれることが多いことから気密性及び水密性を有する構造が必要とされる。具体的には、例えば枠体と、この枠体内に設けられた表示部材と、この表示部材を電気接続する配線部材と、前記枠体下面に形成された開口部に保持され前記配線部材を枠体外に導出する略平板状の弾性部材であるグロメットと、このグロメットを気密性及び水密性を得るために圧縮固定する抑え部材とを備え、前記抑え部材を前記枠体にネジ固定することにより前記弾性部材が前記枠体側に圧縮され前記枠体内を密閉したものがある。
【０００３】
【発明が解決しようとする課題】
しかしながら、従来の表示装置の場合、前述のようにメータが密閉されているため太陽熱等の照射を通じて枠体内が熱せられ、この枠体内の空気が膨張してしまう。さらに、この膨張した空気の圧力が枠体の内壁に加わることで枠体が膨張変形を起こし外観上の見映えに不具合が生じてしまう。また、熱せられた内部の空気が膨張した状態のメータが、水中に没した場合にメータが急激に冷やされて枠体内の空気が収縮して凹んでしまい外観上の見映えに不具合が生じてしまう。
【０００４】
本発明は、この点に鑑みてなされたもので、その主な目的は、枠体内に生じる空気の膨張収縮に影響されないメータ装置を提供せんとするものである。
【０００６】
【課題を解決するための手段】
本発明は、前記目的を達成するため、表示部材と、この表示部材と接続する配線部材と、前記表示部材と前記配線部材の一部を収納する空洞部を有する枠体と、この枠体に形成された開口部を塞ぐと共に前記配線部材を外部に導出する弾性部材とを有し、前記弾性部材に前記空洞部内の圧力の変動を吸収する吸収部を設けたことを特徴とする。
【０００７】
また本発明は、表示部材と、この表示部材を収納する空洞部を有する枠体と、この枠体に前記表示部材を固定すると共に外部に露出する取付手段と、この取付手段を覆い隠す弾性部材とを備え、前記弾性部材に前記空洞部内の圧力の変動を吸収する吸収部を設けたことを特徴とする。
【０００８】
【発明の実施の形態】
本発明の表示装置は、液晶表示素子（ＬＣＤ）からなる表示部材と、この表示部材と接続する電気コードとコネクタ等と、前記表示部材と前記電気コードの一部を収納する空洞部を有する合成樹脂製の枠体と、この枠体に形成された開口部を塞ぐと共に前記電気コードを外部に導出する弾性部材であるグロメットとを有し、前記グロメットに前記空洞部内の圧力の変動を吸収する吸収部を設けたものである。このように構成したことにより、枠体内の空洞部に生じる空気の膨張収縮を吸収でき、さらにグロメットに吸収部を一体に形成したことにより部品点数が削減されると共に組み付けが容易になり作業効率が向上する。
【０００９】
また本発明の表示装置は、指針を回転駆動する駆動装置を備えた表示部材と、この表示部材を収納する空洞部を有する合成樹脂製の枠体と、この枠体に前記表示部材を固定すると共に外部に露出する取付手段であるネジと、このネジを覆い隠す弾性部材であるグロメットとを備え、前記グロメットに前記空洞部内の圧力の変動を吸収する吸収部を設けたものである。このように構成したことにより、枠体内の空洞部に生じる空気の膨張収縮を吸収することができる。
【００１０】
【実施例】
以下、図面に基づいて本発明の実施例を説明する。図１から図３はそれぞれ本発明の第１実施例による表示装置を乗り物のメータに適用したものを示すもので、図１はメータの正面図、図２は図１のＡ−Ａ断面図、図３はメータの背面図である。
【００１１】
図１から図３において、メータは観測者に走行速度等の所定の情報を表示する表示部材１と、図示しない乗り物に配置されたセンサからの電気信号を表示部材１に導入する配線部材２と、表示部材１と配線部材２の所要部を収納し底面側（図２中右側）が開口した枠体３と、配線部材２を保持すると共に枠体３の開口を覆う弾性部材４と、弾性部材４を固定する抑え部材５とから構成されている。
【００１２】
表示部材１は所定の表示をなすＬＣＤ１１と、ＬＣＤ１１を保持する保持体１２と、図示しない抵抗、コンデンサ等の電子部品を搭載した回路基板１３と、ＬＣＤ１１と回路基板１３とを導通接続する導電ゴム１４と、保持体１２を介してＬＣＤ１１と回路基板１３とを固定する回路基板１３の図示しない孔を貫通し回路基板１３の背後に突出させ折り曲げるかしめ片１５ａを備えた金属フレーム１５とからなる。
【００１３】
配線部材２は回路基板１３の背後に固定されたコネクタ２１と、外部からの電気信号等を後述する弾性部材４の保持孔を通じて枠体３内に導入する電気コード２２と、この電気コード２２の先端に設けられコネクタ２１を通じて回路基板１３の図示しない孔に挿入され回路基板１３の前面側に突出する接続部２３とを備えている。この接続部２３を回路基板１３に接続することで表示部材１が配線部材２と電気的に接続される。
【００１４】
枠体３は上側枠体６と下側枠体７とからなり、上側枠体６は例えば透明なアクリル樹脂等の合成樹脂からなり、略薄板状の楕円に形成されており、表示部材１を覆うと共にＬＣＤ１１の表示を視認可能とする表示部６１と、この表示部６１の外周に下側枠体７を覆うように階段状に折り曲げられて形成される密閉側壁面６２とから構成されている。また、表示部６１の背後に配置され外部からの衝撃等を保護する透明な合成樹脂からなる板状の保護体６３が溶着部６４により表示部６１と一体に積層されている。
【００１５】
また、下側枠体７は例えば黒色系の合成樹脂からなり、底面７１の略中央部に開口部７２を有する略楕円形のカップ状に形成されており、この開口部７２は後述する弾性部材４の嵌合部を嵌合するものである。また、開口部７２の全周に渡り肉厚の底面部７３と、底面７１から連続して形成されネジＳが螺合する第１の固定部７４（図２参照）とが設けられている。他方、下側枠体７の側面上端周縁には上側枠体６の密閉側壁面６２に覆われるフランジ部７５と、このフランジ部７５の表面に形成される例えば防水パッキン８等を収納する溝部７６とを備えている。図２に示すように、フランジ部７５が密閉側壁面６２と対向配置するように上側枠体６と下側枠体７を配設すると共に溝部７６より外側のフランジ部７５箇所に例えば超音波溶着等の溶着手段により上側枠体６と下側枠体７とを溶着固定することにより、上側枠体６と下側枠体７とで形成される空間に空洞部９が形成される。なお、７７は第２の固定部であり回路基板１３の図示しない孔を通じてネジＳにより表示部材１を支持するものである。
【００１６】
弾性部材４は例えばゴム製のグロメットからなり、略断面凹状を有しており、略中央部に位置する配線部材２の電気コード２２を保持する保持孔４１と、空洞部９側へ伸びる袋状からなる袋４２を有する２つの吸収部４３と、開口部７２を塞ぎ下側枠体７の底面部７３に固定される断面が略「コ」字状の嵌合部４４とを備えている。
【００１７】
抑え部材５は金属材料からなり、略ドーナツ状に形成されており、配線部材２と弾性部材４を露出する貫通孔５１と、この貫通孔５１の周りに形成される平面部５２と、平面部５２の一部を外側に連続して突出した３つの鍔部５３と、第１の固定部７４に対応する位置に対応し、各鍔部５３に設けられる取付孔５４とを有している。
【００１８】
このような構成において、枠体３内の空洞部９に表示部材１とこれに接続した配線部材２とを収納し、配線部材２の電気コード２２を弾性部材４の保持孔４１に貫通させ外部に導出する。そして、弾性部材４の嵌合部４４を下側枠体７の底面部７３に嵌合し、弾性部材４の背後から抑え部材５を下側枠体７の第１の固定部７４に、抑え部材５の取付孔５４が対応するように配設する。さらに、ネジＳで抑え部材５を枠体３に組み付けることにより、抑え部材５の平面部５２と当接する弾性部材４箇所が弾性変形により下側枠体７側に圧縮される。すなわち、開口部７２が弾性部材４と抑え部材５とで封止されることにより、この開口部７２から空洞部９に空気が入り込むのを防ぐことができ空洞部９が気密保持されることになる。
【００１９】
また、このように気密保持された空洞部９を有するメータが外部からの太陽光等により枠体３の表面が熱せられる環境下においては、この枠体３を通じて空洞部９内の空気が熱せられ、これに伴い空洞部９の空気が膨張してしまう。この際、膨張した空気の圧力は枠体３に加わり枠体３を膨張変形させようとするが、本実施例では弾性部材４に弾性変形可能な吸収部４３を設けたことにより、空洞部９に生じる膨張による圧力の上昇を吸収部４３で吸収して枠体３の膨張変形を抑制すると共に空洞部９を気密保持することができる。
【００２０】
また本実施例では、吸収部４３に袋状からなる袋４２を設けたことにより、空洞部９に生じる空気膨張を袋４２で吸収できる。なお、このように袋４２を設けることは吸収面積を広く形成でき空洞部９の空気膨張を効率的に吸収できる点で有利である。
【００２１】
また本実施例では、弾性部材４に吸収部４３を一体形成したことにより、吸収部４３を別部材として形成することが不要となり部品点数を削減できると共に組み付け作業性を向上させることができる。
【００２２】
図４から図６はそれぞれ本発明の第２実施例による表示装置を乗り物のメータに適用したものを示すもので、図４はメータの要部正面図、図５は図４のＡ−Ａ断面図、図６はメータの要部背面図である。なお、前記第１実施例と同一及び相当部分には、同一符号を付してその詳細説明は省略する。
【００２３】
図４から図６において、本実施例によるメータは観測者にエンジン回転数を表示する表示部材１と、この表示部材１を収納する枠体３と、表示部材１を枠体３に固定するネジＳと、枠体３から露出するネジＳを覆い隠す弾性部材２０と、弾性部材２０を固定する抑え部材５とから構成されている。
【００２４】
表示部材１は例えばアナログ式計器等からなり、具体的には回路基板１３上に導通装着され駆動軸１６ａが前方に延びる計器本体１６と、計器本体１６の駆動軸１６ａにて回動駆動される長手状に延びる指示部材１７と、この指示部材１７の背後に配置される文字板１８と、文字板１８と回路基板１３との間に配設され文字板１８と対向する受部１９ａと、回路基板１３の孔１３ａと対向するように受部１９ａと直交する方向に延びる第３の固定部１９ｂとを有するケース体１９とを備えている。
【００２５】
枠体３は上側枠体６と下側枠体７と保護部材１０とからなり、上側枠体６は例えばアクリル樹脂等の合成樹脂からなり、表面が湾曲した略薄板状に形成されており、表示部材１を覆うと共に指示部材１７等を視認可能とする表示部６５と、この表示部６５の外周に位置して後述する保護部材１０の第１の係止爪１０１により係合する係合部６６を有するフランジ６７と、さらにフランジ６７の外周に連続形成され下側枠体７を覆うように折り曲げられて形成される密閉側壁面６８とから構成されている。なお、表示部６５と指示部材１７との間には保護体６９が表示部６５と略平行に配設され、この保護体６９の外周には腕部６９ａが全周に形成されている。
【００２６】
下側枠体７は例えば黒色系の合成樹脂からなり、底面７０１に凹部を有する略筒形カップ状に形成されており、図５中、凹部は計器本体１６を支持する第１の凹部７０２と、側面が傾斜した側面傾斜部７０３を有する２つの第２の凹部７０４とを有している。この側面傾斜部７０３には回路基板１３側を切り欠いた切り欠き孔７０５が形成されている。この切り欠き孔７０５により側面傾斜部７０３と隔てた後述する固定孔を有する第２の凹部７０４箇所は下側枠体７と一体に形成されている。また、底面７０１箇所には階段状の段部７０６が設けられており、この段部７０６と側面傾斜部７０３から延長して延びる突起部７０７により位置決め溝７０８が形成される。なお、回路基板１３の孔１３ａに対向する第２の凹部７０４箇所には取付手段となるネジＳが貫通する固定孔７０９が設けられている。
【００２７】
図５に示すように、側面部７１０の外周には側面部７１０に連続して略「Ｌ」字状からなる幅広側面部７１１が密閉側壁面６８に覆われるように配設され、この幅広側面部７１１には後述する保護部材１０側に突出して後述する保護部材１０の第２の係止爪１０２と係合する突出片７１２が設けられている。また、幅広側面部７１１の上端面７１３とこれに対応するフランジ６７箇所を超音波溶着等の溶着手段により上側枠体６と下側枠体７とを溶着固定することにより、上側枠体６と下側枠体７とで形成される空間に空洞部９が形成される。
【００２８】
また、下側枠体７の側面部７１０とこれに連続する幅広側面部７１１及び上側枠体６のフランジ６７で囲まれる空洞部９箇所にはパッキンＰが設けられ、このパッキンＰは保護体６９の腕部６９ａを固定すると共に保護体６９を保持するものである。
【００２９】
保護部材１０は例えば黒色系の合成樹脂からなり、略断面「Ｌ」字状のリングに形成され、主に上側枠体６と下側枠体７の側面領域を覆うように保護するものであり、上側枠体６の係合部６６と係合する第１の係止爪１０１と、下側枠体７の突出片７１２と係合する第２の係止爪１０２とを備えている。
【００３０】
弾性部材２０は例えばゴム製のグロメットからなり、ネジＳを覆い隠すように下側枠体７の第２の凹部７０４に収納され、袋状に形成された袋４５を有する吸収部４６と、この吸収部４６の開口４７近くに設けられ吸収部４６から略直交する方向に延びる延長部４８と、延長部４８端面から袋４５側に突出した位置決め部４９とを備えている。
【００３１】
抑え部材５は金属材料からなり、略菱形状の板材で形成されており、弾性部材２０を露出する貫通孔５５と、この貫通孔５５の周りに形成される平面部５６と、貫通孔５５を挟んで平面部５６の端部側に形成され、下側枠体７の図示しない固定部に対応する一対の取付孔５７とを有している。
【００３２】
このような構成において、枠体３内の空洞部９に表示部材１を収納する。この際、表示部材１の回路基板１３の孔１３ａ及び第３の固定部１９ｂが第２の凹部７０４の固定孔７０９に対応するように配設し、第２の凹部７０４の背後（図５中右側）からネジＳが第２の凹部７０４の固定孔７０９を介して第３の固定部１９ｂに螺合することにより表示部材１が空洞部９を有する枠体３内に固定される。そして、下側枠体７の位置決め溝７０８に弾性部材２０の位置決め部４９を位置決めすると共に、弾性部材２０を第２の凹部７０４内に収納し、吸収部４６の開口部側が貫通孔５５を貫通するように弾性部材２０の背後から抑え部材５を下側枠体７の図示しない固定部が抑え部材５の取付孔５７に対応するように配設する。さらに、ネジＳが取付孔５７を貫通して下側枠体７の図示しない固定部に螺合することにより、抑え部材５の平面部５６と当接する弾性部材２０の延長部４８が下側枠体７の突起部７０７側に圧縮される。すなわち、第２の凹部７０４が弾性部材２０と抑え部材５とで封止されることにより、この第２の凹部７０４から空洞部９に空気や水が入り込むのを防ぐことができ空洞部９が気密保持されることになる。
【００３３】
また、このように気密保持された空洞部９を有するメータが外部からの太陽光等により枠体３の表面が熱せられる環境下においては、この枠体３を通じて空洞部９内の空気が熱せられ、これに伴い空洞部９の空気が膨張してしまう。この際、膨張した圧力は枠体３に加わり枠体３を膨張変形させようとするが、本実施例では弾性部材２０に弾性変形可能な吸収部４６を設けたことにより、膨張した圧力が第２の凹部７０４の切り欠き孔７０５を通じて吸収部４６で吸収でき、前記第１実施例と同様の作用効果を得ることができる。
【００３４】
また、弾性部材４，２０の形状は前記各実施例に限定されることはなく、空洞部９を気密保持し得る形状であれば任意の構成を採用することができる。
【００３５】
また、前記各実施例では弾性部材４，２０を抑え部材５でネジ固定する取付手段を用いて空洞部９を気密保持する例について示したが、前記各実施例に限定されることはなく、空洞部９を気密保持し得る任意の取付手段を採用することができる。
【００３６】
また、前記各実施例では、空洞部９内の空気の膨張についてのみ述べたが、逆に、空洞部９内の空気が収縮する場合においても、本発明の構造を採用することにより吸収部４３，４６が弾性変形することで空気の収縮による影響を受けることがない。
【００３７】
なお、前記各実施例では本発明をメータからなる表示装置に適用した例を示したが、本発明はメータからなる表示装置に限定されることはなく、空気の膨張収縮に影響される例えば浴室用リモコン等の表示装置に適用してもよい。
【００３８】
【発明の効果】
以上、本発明によれば、初期の目的を達成することができ、枠体内に生じる空気の膨張収縮に影響されない表示装置を提供することができる。
【図面の簡単な説明】
【図１】本発明の第１実施例による表示装置の正面図。
【図２】図１のＡ−Ａ断面図。
【図３】同実施例による表示装置の背面図。
【図４】本発明の第２実施例による表示装置の要部正面図。
【図５】図４のＢ−Ｂ断面図。
【図６】同実施例による表示装置の要部背面図。
【符号の説明】
１      表示部材
２      配線部材
３      枠体
４，２０  弾性部材
５      抑え部材
６      上側枠体
７      下側枠体
９      空洞部
４２，４５    袋
４３，４６    吸収部
４４    嵌合部
４７    開口
４８    延長部
４９    位置決め部
５４，５７    取付孔
７１，７０１  底面
７２    開口部
７０４  第２の凹部
７０５  切り欠き孔
７０９  固定孔
Ｓ      ネジ
【図１】
0003543324.tif 000002
【図２】
0003543324.tif 000003
【図３】
0003543324.tif 000004
【図４】
0003543324.tif 000005
【図５】
0003543324.tif 000006
【図６】
0003543324.tif 000007